(57)【要約】      （修正有）【課題】老化や疾病等が原因で後肢の脚力が低下したペットの歩行を介助することができる四足歩行のペットの後肢用ハーネスを提供する。【解決手段】後肢を挿入して用いる四足歩行のペットの後肢用ハーネス１であって、左右の後肢挿入用ベルト２ａ、２ｂと、提げ手用ベルト３とを備え、左右の後肢挿入用ベルトの夫々は、後肢を挿入するように環状をなすものであり、環状の後肢挿入用ベルトの上端は、左右に渡された提げ手用ベルトの下端に接続部４でそれぞれ接続されている。【選択図】図１
0003198277.tif 000002
【実用新案登録請求の範囲】
【請求項１】
歩行障害のある四足歩行のペットに対して後肢を挿入して用いるペットの後肢用ハーネスにおいて、
左右の後肢挿入用ベルトと、提げ手用ベルトとを備え、
左右の前記後肢挿入用ベルトの夫々は前記後肢を挿入するように環状をなすものであり、
前記提げ手用ベルトは左右に渡されて、前記提げ手用ベルトの左右の下端が接続部にて左右の前記後肢挿入用ベルトの上端に接続されていることを特徴とする四足歩行のペットの後肢用ハーネス。
【請求項２】
前記提げ手用ベルトとして、長ベルトと、前記長ベルトより短い短ベルトとを備え、前記長ベルトと前記短ベルトとを選択して持つことができることを特徴とする請求項１記載のペットの後肢用ハーネス。
【請求項３】
前記後肢挿入用ベルトは、発泡ゴムを備えた生地製の被覆体で被覆されていることを特徴とする請求項１又は２記載のペットの後肢用ハーネス。
【請求項４】
前記後肢挿入用ベルトと前記提げ手用ベルトとからなり、前記ペットの腹及び背よりも前に配置される他の部材を備えておらず、環状をなす前記後肢挿入用ベルトに後肢を挿入するだけで、装着が完了することを特徴とする請求項３に記載のペットの後肢用ハーネス。
【考案の詳細な説明】
【技術分野】
【０００１】
本願考案は、ペットの後肢用ハーネスの改良に関する。
【背景技術】
【０００２】
特許文献１には、犬などの四足動物の後肢を挿入して用いるペット用ハーネスが示されている。
このペット用ハーネスは、老化や疾病等が原因で歩行が困難になったペットに対し用いることによって、ペットの歩行を介助するものである。このハーネスは、ペットの胴体部を少なくとも背部後方から尾部近傍にかけて覆う背当て部と、この背当て部から延設されて背当て部を胴体に固定する腹当て部と、左右の後足をそれぞれ上方へ支持可能な後足保持部とを備えて胴回りに装着可能とされ、各後足保持部は環状に形成されて背当て部に取り付けられており、その上部が持ち手とされるとともに、その下部において後足を挿通させて付け根部分を保持しうるように形成されたものである。
【先行技術文献】
【特許文献】
【０００３】
【特許文献１】特開２００７−１５９４４１号公報
【考案の概要】
【考案が解決しようとする課題】
【０００４】
ところが、特許文献１に示されたペット用ハーネスには、次の問題がある。
先ず第１に、腹当て部３と背当て部２とを設けており、装着に際しては、単に後肢を挿通部４４に挿入するだけではなく、腹当て部３を腹回りに装着する必要があり、装着に手間がかかる。
第２に、持ち手４２が左右別々に設けられており、左右それぞれ別々の持ち手４２について、前後の持ち手が連続しているものであり、左右の持ち手を纏めて持つことになる。
第３に、短い持ち手を備えていない。即ち、体高の高いペットに適する、或いは段差を超えて移動する際ペットの後肢を引き上げるに適した短い持ち手がない。
そこで本願考案は、上記課題の解決を図るものである。
尚、本欄で用いた各部材の番号は、特許文献１に記載のものをそのまま使用したものであり、明細書の他の欄の部材番号と無関係である。
【課題を解決するための手段】
【０００５】
本願考案は、歩行障害のある四足歩行のペットに対して後肢を挿入して用いるペットの後肢用ハーネスにおいて、左右の後肢挿入用ベルトと、提げ手用ベルトとを備え、左右の前記後肢挿入用ベルトの夫々は前記後肢を挿入するように環状をなすものであり、前記提げ手用ベルトは左右に渡されて、前記提げ手用ベルトの左右の下端が接続部にて左右の前記後肢挿入用ベルトの上端に接続されているものを提供する。
即ち、ここで言う上記の各ベルトには、帯状で柔軟な通常のベルトの他、硬質な即ち定形性を備えたベルト状の部材を含み、更に当該柔軟な部材と定形性を有する部材とを複合して形成したものも含む。また、ここで言うベルトには扁平な帯状の部材の他、扁平ではない紐状のものも含む。
また、本願考案は、前記提げ手用ベルトとして、長ベルトと、前記長ベルトより短い短ベルトとを備え、前記長ベルトと前記短ベルトとを選択して持つことができるペットの後肢用ハーネスを提供できた。
更に、本願考案では、前記後肢挿入用ベルトが発泡ゴムを備えた生地製の被覆体で被覆されている四足歩行のペットの後肢用ハーネスを提供できた。
更にまた、本願考案では、前記後肢挿入用ベルトと前記提げ手用ベルトとからなり、前記ペットの腹及び背よりも前に配置される他の部材を備えておらず、環状をなす前記後肢挿入用ベルトに後肢を挿入するだけで、装着が完了するペットの後肢用ハーネスを提供できた。
【考案の効果】
【０００６】
本願考案は、老化や疾病等が原因で歩行が困難になったペットに対し用いることによって、ペットの歩行を介助することができる新たな構造のハーネスを提供することができたものである。
また、飼い主にとって取り扱いの容易な四足歩行のペットの後肢用ハーネスを提供できた。
特に、本願考案では、左右に渡された提げ手用ベルト左右の下端が接続部で後肢挿入用のベルトの上端に接続されており、特許文献１へ示されたもののような左右の持ち手を纏めて持つという煩わしさがない。
また特に、本願考案では、提げ手用ベルトのうち長ベルトと短ベルトから選択して持つことができる。即ち、本願考案では、短ベルトを有することにより、短い持ち手を備えるものを提供できた。例えば、ペットの体高に合わせて、長ベルトと短ベルトから持ちやすいものを選んで持つことができる。この他、散歩通常の歩行では長ベルトを持ってペットの自然な歩行を可能とし、短ベルトを持ってペットの後肢を引き上げることで後肢への負担を大幅に軽減することができる。従って、例えば、平坦な道の歩行には長ベルトを持って比較的自然な歩行をさせ、段差を登るときなどは短ベルトを引き後肢を持ち上げるように補助するという臨機応変な対応が容易に行える。
また、本願考案では、環状をなす左右の後肢挿入用ベルトへ、単にペットの後肢を挿入するだけで、ハーネスを装着することができる。即ち、引用文献１に示されたハーネスのような、装着に際して後肢を挿通部に挿入すると共に腹当て部を腹回りに装着するという必要がなく、装着に手間がかからない。
更に、後肢挿入用ベルトが発泡ゴムを備えた生地製の被覆体で被覆されることにより、ペットの身体への負担をより軽減できた。
【図面の簡単な説明】
【０００７】
【図１】（Ａ）は本願考案に係るペットの後肢用ハーネスの実施の形態の全体正面図、（Ｂ）は（Ａ）のペットの後肢用ハーネスの接続部の斜視図、（Ｃ）は（Ａ）ペットの後肢用ハーネスが備える提げ手用ベルトの持ち手を形成する位置の略平面図、（Ｄ）は（Ｃ）に示す位置の略底面図、（Ｅ）は、（Ｃ）に示す位置に持ち手を形成する過程を示す一部切欠斜視図、（Ｆ）は（Ｄ）へ示す位置に持ち手部材を設けた後の略底面図。
【図２】（Ａ）〜（Ｃ）は夫々、図１（Ａ）へ示す被覆体の形成工程を示す説明図。
【図３】図１（Ｂ）の接続部へ帯部材を通す状態を示す説明図。
【図４】図１（Ａ）の四足歩行のペットの後肢用ハーネスの使用状態を示す側面図、（Ｂ）は（Ａ）の背面図、（Ｃ）は（Ａ）の斜視図。
【考案を実施するための形態】
【０００８】
図面に基づき本願考案の実施の形態について説明する。
（全体構成）
図１（Ａ）及び図４（Ａ）〜（Ｃ）へ示す通り、この四足歩行のペットの後肢用ハーネス１は、歩行障害のある四足歩行のペットに対して、後肢を挿入して用いるものであり、ペットの後肢用ハーネス１は、左右の後肢挿入用ベルト２ａ，２ｂと、提げ手用ベルト３とからなる。
以下、各部の構成について順に説明する。
【０００９】
（左右の後肢挿入用ベルト２ａ，２ｂ）
左後肢挿入用ベルト２ａと、右後肢挿入用ベルト２ｂの夫々は、帯状体を環状にすることにて形成された環状体であり、ペットｐの後肢を挿入することができる。
環状である左右の後肢挿入用ベルト２ａ，２ｂ夫々の上端は、上記提げ手用ベルト３の下端へ接続部４にて接続されている。
【００１０】
この例では、左右の後肢挿入用ベルト２ａ，２ｂ夫々は、発泡ゴムを備えた生地製の被覆体２２で被覆されている。即ち、左右の後肢挿入用ベルト２ａ，２ｂ夫々は、上記の帯状体であるベルト本体２１と、被覆体２２とにて構成されている。
ベルト本体２１を帯状体とした上、発泡ゴムを備えた生地製の被覆体２２にてベルト本体２１を被覆することにより、提げ手用ベルト３を引く力を専ら受けることになる左右の後肢挿入用ベルト２ａ，２ｂについて、後肢に対する当たりをソフトなものとすることができる。
【００１１】
詳しくは、ベルト本体２１には、ポリプロピレン製の繊維素材のものを採用する。また、被覆体２２には、発泡ゴムを備えた生地製のものを採用することができる。被覆体２２の上記発砲ゴムには、特にクロロプレンゴムを採用することができる。クロロプレンゴムは、クロロプレンの重合によって得られる合成ゴムである。クロロプレンゴムは耐候性、耐熱性、耐油性、耐薬品性は天然ゴムより優れ、加工も容易であり、上記被覆体２２に適する。
【００１２】
被覆体２２は、ベルト本体２１のペットｐの荷重が掛かる部位を被覆する。図２（Ａ）へ示すように、被覆体２２は、上記素材の、１対の縦辺２２ａと１対の横辺２２ｂとを備える略矩形の１枚のシートから形成される。この例では、当該シートは、縦辺２２ａを長辺とし、横辺２２ｂを短辺とする長方形である。横辺２２ｂが折り返されて縫い込まれて、パイピングが形成される。当該パイピングは、横辺２２ｂに沿って伸びる（図２（Ａ））。横辺２２ｂと直交する方向に沿って上記シートが曲げられ（図２（Ｂ））、縦辺２２ａの夫々が曲げられた上記シートの内側へ折り返されて縫い合わされる（図２（Ｃ））。図２（Ｂ）及び図２（Ｃ）において一点鎖線で示す位置が、上記の折り返して縫い合わせる、縫い合わせ位置ｘ−ｘを示している。図２（Ｃ）の２２ｃは、上記の折り返しによって形成された、折返し部位を示している。
上記図２（Ａ）〜（Ｃ）へ示す工程にて、被覆体２２を筒状に形成し、被覆体２２がなす筒状体の内部へベルト本体２１を通すことによって、ベルト本体２１を被覆体２２にて被覆することができる。
【００１３】
（提げ手用ベルト３）
提げ手用ベルト３は、ペットpの背側において左右に渡される帯状体である。当該帯状体の両端の夫々が上記接続部４にて左後肢挿入用ベルト２ａ，２ｂ夫々に接続されている。
上記左後肢挿入用ベルト２ａと右後肢挿入用ベルト２ｂとの間には、提げ手用ベルト３のみが介されており、左後肢挿入用ベルト２ａと右後肢挿入用ベルト２ｂとは提げ手用ベルト３のみにて連結されている。即ち、提げ手用ベルト３は、提げ手と、左右の両肢挿入用ベルト２ａ，２ｂ専用の連結部とを兼ねており、提げ手用ベルト３以外のもので左右の両肢挿入用ベルト２ａ，２ｂ同士は連結されていない。
このため、図４（Ａ）へ示す通り、左右の後肢挿入用ベルト２ａ，２ｂの後肢の前に回る部位が、使用状態におけるペットの後肢用ハーネス１の最前端ｍをなし、ペットｐの腹ｓ側及び背ｂ側において当該最前端ｍより前方に後肢用ハーネス１の構成部材を備えない。
即ち、ペットの後肢用ハーネス１は、ペットｐの腹ｓ及び背ｐよりも前に配置される他の部材を備えておらず、従って、環状をなす後肢挿入用ベルト２に後肢を挿入するだけで、装着が完了する。
【００１４】
この例では、ペットの後肢用ハーネス１は、提げ手用ベルト３として、長ベルト３ａと、長ベルト３ａより短い短ベルト３ｂとを備える。飼い主ｋは長ベルト３ａと短ベルト３ｂのうち一方を選択して持つことができる。
【００１５】
長ベルト３ａと短ベルト３ｂは、夫々帯状体のベルト主体３１と、持ち手部材３２とにて構成される。ベルト主体３１にはポリプロピレン製の繊維素材のものを採用する。持ち手部材３２は、提げ手用ベルト３の持ち手を構成するものであり、この例では夫々１枚のフェイクレザーのシートにて形成されている。
フェイクレザーは、天然の革(本革)に似せて作られたものである。フェイクレザーは、合成皮革・人工皮革と呼ばれるものが一般的であり、基布にポリ塩化ビニル・ポリウレタン等の合成樹脂を塗布して作られたものが一般的である。尚、抗菌効果があるフェイクレザーを採用することにて衛生面に配慮することができる。
【００１６】
（接続部４）
この例では、上記の接続部４は、提げ手用ベルト３の左右両端の夫々に設けられ、提げ手用ベルト３の左右両端を環状である左右の後肢挿入用ベルト２ａ，２ｂと接続する。即ち、一対の接続部４の一方（左側のもの）は、左右に渡された長ベルト３ａの左端と左肢挿入用ベルト２ａとを接続すると共に、左右に渡された短ベルト３ｂの左端と左肢挿入用ベルト２ａとを接続する。そして一対の接続部４の他の一方（右側のもの）は、左右に渡された長ベルト３ａの右端と右肢挿入用ベルト２ｂとを接続すると共に、左右に渡された短ベルト３ｂの右端と右肢挿入用ベルト２ｂとを接続する。
【００１７】
より詳しくは、一対の接続部４の一方（左側のもの）は、左右に渡された長ベルト３ａのベルト主体３１の左端と左肢挿入用ベルト２ａのベルト本体２１とを接続すると共に、左右に渡された短ベルト３ｂのベルト主体３１の左端と左肢挿入用ベルト２ａのベルト本体２１とを接続する。そして一対の接続部４の他の一方（右側のもの）は、左右に渡された長ベルト３ａのベルト主体３１の右端と右肢挿入用ベルト２ｂとを接続すると共に、左右に渡された短ベルト３ｂのベルト主体３１の右端と右肢挿入用ベルト２ｂのベルト本体２１とを接続する。
この例では、接続部４は、上記各ベルトの接続と共に上記各ベルトの長さ調整を行うアジャスタを兼ねる。
【００１８】
具体的には、接続部４は、図１（Ｂ）へ示す通り、ベルトを通すことができる、第１挿通部４１と第２挿通部４２とを備える。第１挿通部４１と第２挿通部４２の夫々は、接続部４の裏面４ｂ側から表面４ａ側へ貫通する貫通部として形成することができる。この例では、中空で矩形の枠部材４０の中空部分へ棒状の仕切り部４３を形成し、当該中空部分を仕切り部４３にて２つの空間に区画ことにより、区画された空間の一方を第１挿通部４１とし、区画された他の一方の空間を第２挿通部４２とする。
【００１９】
（後肢挿入用ベルト２ａ，２ｂと提げ手用ベルト３の具体的な構成例）
上記接続部４を採用することにより、上記の長ベルト３ａのベルト主体３１と、短ベルト３ｂのベルト主体３１と、左肢挿入用ベルト２ａのベルト本体２１と、右肢挿入用ベルト２ｂのベルト本体２１とを一本の帯部材１０にて形成することができる。この帯部材１０は、ポリプロピレン製の繊維素材で形成された帯状の部材である。
【００２０】
図３へ示す通り、一本の帯部材１０を輪ｗにし当該輪ｗを一方の後肢の挿入部とする。即ち、輪ｗは、ペットの後肢を通すことができる大きさにし、一方の上記接続部４で留める。当該輪ｗを作る前に筒状の上記被覆体２２を帯部材１０へ通しておき、被覆体２２も輪ｗに沿って湾曲させればよい。帯部材１０において接続部４から上記輪ｗと反対側へ出る部分を上記短ベルト３ｂと長ベルト３ａとし、短ベルト３ｂの端部と長ベルト３ａの端部を他方の接続部４へ通して引き出した部分を輪（図示しない。）にし両端部をミシン掛けにて繋ぎ当該輪を他方の後肢の挿入部とする。即ち当該輪もペットの後肢を通すことができる大きさに形成する。
ミシン掛けや手縫いなどの縫製以外に周知の他の結合手段によって帯部材１０の上記両端を繋ぐことも可能である。このような周知の結合手段としては、バックルやスナップ、ボタン、ファスナ、目打ちを例示することができる。但し、帯部材１０の両端を繋ぐ位置は、上記に他方の後肢の挿入部となる区間に限定するものではなく、上記以外に長ベルト３ａや短ベルト３ｂ、或いは上記一方の後肢の挿入部となる区間に設けるものとしても実施できる。また、接続部４の一方にて帯部材１０の両端を繋ぐものとしても実施できる。
【００２１】
具体的には、図３へ示す通り、帯部材１０は、一方の接続部４の裏面４ｂ側から第１挿通部４１へ入るまでの第１区間ｄ１と、第１挿通部４１を通り当該接続部４の表面４ａ側へ出て仕切り部４３の前（表面側）を回って第２挿通部４２へ入るまでの第２区間ｄ２と、第２挿通部４３へ入り第２挿通部４３から当該接続部４の裏面４ｂ側へ出て輪ｗにされた第３区間ｄ３と、当該接続部４の裏面４ｂ側から第２挿通部４２へ入り仕切り部４３の前に回って第１挿通部４１へ入るまでの第４区間ｄ４と、第１挿通部４１を通って当該接続部４の裏面側４ｂへ出る第５区間ｄ５とを備える。帯部材１０は、図示しない他方の接続部４との関係においても上記第２区間ｄ２〜第４区間ｄ４と同様の区間を備える。尚、第１区間ｄ１は、両接続部４間へ介された、両接続部４にとって共通の区間である。第５区間ｄ５も、両接続部４間へ介された、両接続部４にとって共通の区間である。
第１区間ｄ１が上記短ベルト３ｂを構成し、第３区間ｄ３が一方の後肢の挿入部を構成し、第５区間ｄ５が上記長ベルト３ａを構成する。
帯部材１０の各区間は便宜上、上記において順に説明を行ったが、当該説明は、単に各区間と接続部４との位置関係を示すものであり、説明した順に接続部４へ通すことに限定することを意図するものではない。
【００２２】
一例として、図３へ示す通り、接続部４の裏面４ｂ側から第１挿通部４１の表面４ａ側へ向けて帯部材１０の一端側を通す。このとき、帯部材１０の表側１１が接続部４の表面４ａ側と同じ方向を向くように即ち帯部材１０の裏側１２が接続部４の仕切り部４３の表面４ａ側と対面するように、帯部材１０の一端側を第１挿通部４１へ通す。尚帯部材１０は、接続部４へ通す方向を図３において帯部材１０に付した矢印の方向とする。そして図３において、帯部材１０の表側１１を細線にて、帯部材１０の裏側１２を太線にて示す。帯部材１０において接続部４を通過しない区間を上記第１区間ｄ１とする。
帯部材１０の当該一端について、接続部４の表面４ａ側にて仕切り部４３を通過させた後、第２挿通部４２へ通して再び接続部４の裏側４ｂへ出す。接続部４の裏面４ｂ側から帯部材１０の当該一端を引き出し、引き出した部分を上記輪ｗにして接続部４の裏面４ｂ側から再び第２挿通部４２へ通す。
【００２３】
尚、帯部材１０の当該一端を接続部４ｂの裏面側から再び第２挿通部４２へ通す前に帯部材１０を捩じり、帯部材１０の先に接続部４へ通して上記第２区間ｄ２とした区間の表側１１と、後から通して第４区間ｄ４とする区間の裏側１２とが対面するようにして、第２挿通部４２へ通す。そして接続部４の表面４ａ側へ出た帯部材１０の上記一端を第１挿通部４１へ通し接続部４の裏面４ｂ側へ引き出し、第５区間ｄ５とする。
上記の通り帯部材１０を捩じって上記第２区間ｄ２の表側１１と第４区間ｄ４とする区間の裏側１２とを対面させることにより、後肢の挿入部を漏斗状即ち逆円錐状に窄まった形状にすることができる。このため、肢の付け根側の太い部位から肢の先端側の細い部分に向けて窄まる、より肢にフィットする挿入部を提供することができる。但し、帯部材１０を上記のように捩じらずに、上記挿入部を円筒状として形成して実施することを除外するものではない。帯部材１０を上記のように捩じらない場合、帯部材１０の先に接続部４へ通して上記第２区間ｄ２とした区間の表側１１と、後から通して第４区間ｄ４とする区間の表側１１とが対面する。
【００２４】
図３へ示すように一方の接続部４へ帯部材１０を通す前に、図示しない他方の接続部４へ帯部材１０の上記他の一端を通して先に他方の接続部４側にて上記と同様の第２区間ｄ２及び第３区間ｄ３を確保する。当該第３区間ｄ３を確保した後（図示しない。）、図示した上記一方の接続部４から引き出して第５区間ｄ５とした区間を、他方の接続部４へ通すことにて第４区間ｄ４を確保すればよい。
【００２５】
また、図３の帯部材１０が呈する矢印の方向と逆方向にて帯部材１０を接続部４へ通すこと、即ち、第５区間ｄ５、第４区間ｄ４、第３区間ｄ３、第２区間ｄ２、第１区間ｄ１の順に接続部４へ帯部材１０の先端側を通して行くものとしても実施できる。
また、上記各区間を形成して行く過程も、図示や説明した順に限るものではない。上記の通り、帯部材１０の両端の繋ぎ合わせの位置をどの区間にしてもよいし、接続部４を介して当該両端を繋ぐものとしてもよい。
【００２６】
次に長ベルト３ａと短ベルト３ｂとへ持ち手部材３２を設ける方法について説明する。
帯部材１０の、長ベルト３ａと短ベルト３ｂ夫々のベルト主体３１となる区間において、図１（Ｃ）（Ｄ）へ示す通り、持ち手が設けられる部分の両側辺３３，３４を帯部材１０の長手方向に沿って裏側へ折り両側辺３３，３４を突き合わせた状態にし、ミシン掛けする。図１（Ｄ）へ点線で示す通り、当該ミシン掛けによるステッチは、当該突き合わせた位置ｎを挟んで突き合わせ位置ｎと平行に２本設けると共に、帯部材１０の長手方向について突き合わせ位置ｎとなる区間の始点と終点において夫々突き合わせ位置ｎと交差する方向に設けたものを例示する。但し、帯部材１０を細くした状態に固定できれば、ミシン掛けによるステッチの位置は、図示したものと異なるものであってもよい。
帯部材１０において、上記にて細く絞られた区間へ、図１（Ｅ）へ示す通り、前述のフェイクレザーのシートが巻きつけられて固定されることにより、ベルト主体３１へ持ち手部材３２が設けられる。
【００２７】
具体的には、巻きつけて余ったフェイクレザーのシートの縁３５を内側に追って折り込み部３６を形成し、折り込み部３６を帯部材１０へ巻きつけられているフェイクレザーのシートの他の縁側へ重ねて、上方即ちを図１（Ｅ）の破線位置を叩き付ける。叩き付けにてフェイクレザーのシートの形を整えた後、図１（Ｆ）へ破線で示す通り、上記にて重ねた部位へミシン掛けする。ミシン掛けによってフェイクレザーのシートは持ち手部材３２としてベルト主体３１へ固定される。図１（Ｆ）へ示すように、帯部材１０の長手方向について持ち手部材３２から前後両側へ出る部分は、持ち手部材３２に向けて帯部材１０の幅を漸次細くするよう折られた折れ部３７として露出する。
【００２８】
（使用例）
図４（Ａ）〜（Ｃ）へ示す通り、環状に形成された左後肢挿入用ベルト２ａへペットｐの左後肢ｆａを挿入し、同じく環状に形成された右後肢挿入用ベルト２ｂへペットｐの右後肢ｆｂを挿入する。詳しくは、左右一方の後肢へ後肢挿入用ベルト２の一方を装着した後、提げ手用ベルト３をペットｐ背側へ回して、後肢挿入用ベルト２の他の一方を、他方の後肢へ装着する。このとき、帯部材１０の裏面側がペットｐへ向くように、後肢挿入用ベルト２を装着する。
図４（Ａ）〜（Ｃ）へ示す通り飼い主ｋ即ち同伴者は、長ベルト３ａの持ち手部材３２を掴んで、或いは図示は省略するが体高の高いペットｐについては短ベルト３ｂの持ち手部材３２を掴んで、ペットｐを歩行させることができる。また、平坦な道では図４（Ａ）〜（Ｃ）へ示すように長ベルト３ａを持ち、段差や坂道では短ベルト３ｂを持ち上げペットｐの後肢への負担を軽減してやればよい。
【００２９】
（変更例）
上記の実施の形態において、提げ手用ベルト３は、長ベルト３ａと、短ベルト３ｂとにて構成されるものを例示した。この他、提げ手用ベルト３は、図示した長ベルト３ａのみ備える、或いは図示した短ベルト３ｂのみ備えるものとしても実施できる。提げ手用ベルト３として短ベルト３ｂのみ備える場合であっても、短ベルト３ｂにて後肢を持ち上げ、段差の歩行を補助することができる。また提げ手用ベルト３を短ベルト３ｂのみで構成する場合、必要に応じて別体のハーネスや紐を短ベルト３ｂへ着脱自在に接続して、長ベルト３ａとして利用することもできる。
また、提げ手用ベルト３は、長ベルト３ａを第１ベルトとし短ベルト３ｂを第２ベルトとして備えると共に、短ベルト３ｂより更に短い第３或いは第４のベルトを備えるものとしても実施できる。
【００３０】
上記の実施の形態において、左右の後肢挿入用ベルト２ａ，２ｂと提げ手用ベルト３とは、一本の帯状体１０にて形成されたものを例示した。この他、左後肢挿入用ベルト２ａと右後肢挿入用ベルト２ｂと提げ手用ベルト３の三者は、夫々別々の帯状体にて形成され後、縫製や帯部材１０と別体の接続部４にて結合されるものとしても実施できる。縫製にて結合した場合法制部分が接続部４を構成するのである。また、提げ手用ベルト３を着脱自在に取り付けるものとしても実施できる。当該接続部４としては、図１（Ｂ）へ示すもの以外の周知のバックルや、スナップ、ファスナ、ボタンといった締結具を採用することができる。
【００３１】
後肢挿入用ベルト２ａ，２ｂのベルト本体２１や提げ手用ベルト３のベルト主体３１には、夫々ポリプロピレン以外の素材にて形成されたものを採用することができる。例えば、上記ベルト本体２１やベルト主体３１には、布や皮製のもの或いはポリプロピレン以外の合成樹脂の繊維素材のものを採用することができる。
図示した例では、後肢挿入用ベルト２ａ，２ｂのベルト本体２１や提げ手用ベルト３のベルト主体３１とは一本の帯部材１０にて構成するものとしたので、帯部材１０をポリプロピレン製のものに限定せずに、ハーネスとして使用するに適切な強度と耐久性を備えた他の合成樹脂の繊維素材や、布、皮を採用して実施してもよいし、更には合成樹脂と布の複合素材を採用してもよいということである。
【００３２】
更に、後肢挿入用ベルト２ａ，２ｂの被覆体２２については、ベルト本体２１のペットｐに対する当たりを緩衝するものであれば、発泡ゴムを備えた生地製以外の素材を採用して実施することができる。例えば、被覆体２２は、布製や、皮製のもの、或いは柔軟な合成樹脂製のもの、或いはこれら周知の素材を複合して形成するものとしても実施できる。
後肢挿入用ベルト２ａ，２ｂの夫々は、上記接続部４とは別の周知の閉鎖手段にて装着時輪ｗを開閉して装着できるものとしても実施できる。このような閉鎖手段として、バックル、ボタン、スナップ、ファスナ、コハゼを例示することができる。
提げ手用ベルト３の持ち手部材３２は、持ち手としての強度や耐久性、手触りの良さを備えたものであれば、フェイクレザー以外の素材を採用することができる。例えば、持ち手部材３２に、布や本皮、合成皮革以外の軟質の合成樹脂シートを採用することができる。
上記接続部４には、上記の通り帯部材１０と別体の部材を用いる他、接続部４を帯部材１０と別体の部材とするものではなく、帯部材１０を結ぶことにて結び目を形成し、当該結び目を接続部４としても実施できる。即ち提げ手用ベルト３の左右の部分に輪ｗを作って提げ手用ベルト３へ結ぶことにて、左右の後肢挿入用ベルト２ａ，２ｂを形成してもよいのである。
また、上記接続部４を帯部材１０と別体の部材とする場合も、上記の通り、左右の接続部４の夫々を単一の部材にて構成するものに限定するものではなく、例えばリング状の金具を２個以上用いて１つの接続部４を構成するものとしても実施できる。リング状の上記金具については、略円形のものに限定するものではなく略矩形のものであっても実施できる。
特に疾病等にて歩行に障害が出たペットを対象とする場合、後肢挿入用ベルトはサポータやネットにて構成するものとしても実施できる。例えば神経痛や血行不良の場合は、サポータにてマッサージ効果を期することができる。疾病の治療として塗布薬を用いる場合、薬を塗布したガーゼなどを上記サポータやネットにて患部に当てることができる。上記ネットを利用することによって、疾患が蒸れるのを抑制することができる。
更に、左右の後肢挿入用ベルト２ａ，２ｂの全区間を柔軟な素材のみにて形成するのではなく、一部の区間へプラスチックや金属などの定形性のある部材を設けて、後肢を骨折や脱臼したペットのための添え木やコルセットを兼ねるものとしても実施できる。骨折用の添え木を兼ねる場合、添え木を肢の伸びる方向の異なる２か所以上で支持するために、少なくとも骨折した肢を通す後肢挿入用ベルトを２つ以上備えるものとしても実施できる。即ち、１本の後肢を２つの後肢挿入用ベルトへ通すものとし、後肢挿入用ベルトを全体として３つ以上設けるものとしても実施できる。
脱臼用のコルセットを兼ねる場合、左右の後肢挿入用ベルト２ａ，２ｂの間隔を固定するため、提げ手用ベルト３の少なくとも短ベルト３ｂもプラスチックや金属などの定形性を有する素材にて、左右の後肢挿入用ベルト２ａ，２ｂの上記定形性を有する区間と一体に形成するのが好ましい。
また、使用の対象なるペットは、犬や猫、豚、猿、亀、その他の四足歩行の動物とすることができる。ペットの種類や大きさに応じて、各ベルトの大きさを変更し、調整すればよい。
【符号の説明】
【００３３】
１    ペットの後肢用ハーネス
２ａ  左後肢挿入用ベルト
２ｂ  右後肢挿入用ベルト
３    提げ手用ベルト３
３ａ  長ベルト
３ｂ  短ベルト
４    接続部
１０    帯部材
２１    ベルト本体
２２    被覆体
３１    ベルト主体
３２    持ち手部材
【図１】
0003198277.tif 000003
【図２】
0003198277.tif 000004
【図３】
0003198277.tif 000005
【図４】
0003198277.tif 000006